(57)【要約】      （修正有）【課題】学童の視覚を刺激するランドセル用吊下具を提供する。【解決手段】上部に設けた取付部４７の下部に任意形状をした大形の装飾部５２を一体に形成し、装飾部の表面に各種形状をした大小の打抜孔５３を複数設け、打抜孔の内部に設けた反射化粧材５１がキラキラ反射する装飾保護板４５と、ランドセルの大マチ部の上部に取付ける固定片１２と、固定片１２に取付ける吊下部２１を上部に設け、下部にナスカン部２７を有した吊下片２０と、吊下片２０を固定片１２に回動可能に軸支する表面板３０とからなる吊下具１１を、大マチ部の上部に、前締ベルト８と共に取付ける。【選択図】図４
0003166249.tif 000002
【実用新案登録請求の範囲】
【請求項１】
上部に設けた取付部（４７）の下部に任意形状をした大形の装飾部（５２）を一体に形成し、該装飾部の表面に各種形状をした大小の打抜孔（５３）を複数設け、該打抜孔内に位置した反射化粧材（５１）を具えた装飾保護板（４５）と、
ランドセル（１）の大マチ部（３）の上部に取付ける固定片（１２）と、
前記固定片（１２）に取付ける吊下部（２１）を上部に設けて下部にナスカン部（２７）を有した吊下片（２０）と、
前記吊下片（２０）を前記固定片（１２）に回動可能に軸支する表面板（３０）とからなる吊下具（１１）を、
前記大マチ部（３）の上部に、前締ベルト（８）と共に取付けることを特徴とするランドセル用吊下具。
【請求項２】
前記装飾保護板（４５）は、皮革又は人工皮革からなる装飾部（５２）の上下幅を前記吊下片（２０）のナスカン部（２７）より長く、左右幅をナスカン部（２７）の幅寸法より広くし、且つ、全体をハート形、星形又は花形或いは動物の顔形などの任意形状に形成し、該装飾部の裏面に表面全体がキラキラ光るホログラム処理を施した反射化粧材（５１）と、該反射化粧材の裏面に皮革又は人工皮革からなる板状の芯部（５０）とを接着してなり、前記装飾部（５２）の表面任意箇所に、小円形、ひし形、三角形、ダイヤ形、星形、小ハート形または動物の目、口あるいは鼻などに形成した大小の打抜孔（５３）をそれぞれ任意間隔に複数組合わせて形成した該打抜孔内部にキラキラ反射する反射化粧材（５１）を設けてなることを特徴とする請求項１記載のランドセル用吊下具。
【請求項３】
前記固定片（１２）は、正面側に左右幅ｘを長く、上下幅ｙを短くした楕円形の係止軸部（１４）を突設し、該係止軸部の中央軸心方向にピン孔（１５）を設け、該ピン孔の正面側端面周縁で水平方向に凹溝部（１６）を形成し、背面側に前記大マチ部（３）に取付ける前締ベルト（８）を掛止させるベルト凹部（１３）を設け、前記吊下片（２０）は、前記固定片（１２）の係止軸部（１４）に枢動可能に嵌合する環合孔（２２）を有した吊下部（２１）を上方に設け、該吊下部の下方に巾着袋を着脱可能に吊下げるナスカン部（２７）を固着する保持部（２６）を一体に設け、前記表面板（３０）は、中央に設けたピン孔（３１）の背面側周縁に、前記固定片（１２）の係止軸部（１４）が嵌合する軸受凹部（３２）を設けると共に、該軸受凹部内でピン孔（３１）の周縁に前記係止軸部（１４）の端面に設けた凹溝部（１６）に嵌合する突起部（３３）を設け、上端縁に前記固定片（１２）の正面壁に当接する係止鍔部（３４）を一体に設け、前記固定片（１２）の係止軸部（１４）に吊下片（２０）の環合孔（２２）を嵌合して枢動可能に吊下げ、該吊下片の吊下部（２１）に表面板（３０）を表面側から被せて固定片（１２）に嵌合し、前記大マチ部（３）に位置する前締ベルト（８）と大マチ部（３）の間に前記装飾保護板（４５）の取付部（４７）を位置させ、前記表面板（３０）と固定片（１２）と前締ベルト（８）と装飾保護板（４５）を固定ピン（３８）で大マチ部（３）に取付けてなることを特徴とする請求項１記載のランドセル用吊下具。  
【請求項４】
前記吊下片（２０）の吊下部（２１）に設けた嵌合孔（２２）は、内径を前記固定片（１２）の係止軸部（１４）の左右幅ｘに嵌合する内径Ｘに形成し、該嵌合孔の垂直方向上端に切欠部（２３）を設け、且つ、前記切欠部（２３）の両端面の間を連結部（２４）で一体に架矯して前記嵌合孔（２２）が不用意に開くのを防止すると共に、前記ナスカン部（２７）に吊下げた巾着袋に所定以上の引張り負荷が加わると、前記連結部（２４）が引張り負荷で割れて切欠部（２３）の先端が開き、吊下片（２０）を前記固定片（１２）の係止軸部（１４）から離脱可能に取付けてなることを特徴とする請求項１または３記載のランドセル用吊下具。
【考案の詳細な説明】
【技術分野】
【０００１】
本考案は、ランドセルの大マチ部に取付ける吊下具の改良に関する。
【背景技術】
【０００２】
従来、ランドセルの大マチ部には、学校で使用する体操着や給食器または学習教材などを収容した巾着袋を吊下げるための吊下具が取付けられている。
【０００３】
吊下具の多くは、前記大マチ部に取付ける固定片と、下方に巾着袋等を吊下げる吊下片とからなり、前記吊下片には、巾着袋等をワンタッチで簡単に着脱でき、且つ、乱暴に取り扱っても外れにくいことから、いわゆるなす環型をしたものが取付けられている。
【０００４】
この吊下具は、大マチ部の上方に位置した固定片と前締めベルトをリベットや圧着鋲などの固定ピンで大マチ部に取付けられ、固定片に吊下げた吊下片は、巾着袋の動きにあわせて枢動且つ揺動可能に取付けられている。
【０００５】
そのため、大マチ部と吊下具との間には、皮革又は合成皮革で形成した保護板を取付けて大マチ部の表面が吊下具の揺動による摩擦で傷つくのを防止したり、大マチ部に取付ける合成樹脂材で形成した固定片と、板状に形成した保護部を一体にして形成した吊下具を取付けたものが知られている。
【先行技術文献】
【特許文献】
【０００６】
【特許文献１】実開昭５８−１４７４２１号
【特許文献２】実用新案登録第３１５９６３９号
【考案の概要】
【考案が解決しようとする課題】
【０００７】
前者は、皮革材で形成した保護板６は、ただ単に傷つき防止用として取付けただけのものである。後者は、ナスカン２を取付ける合成樹脂材により形成した固着部１の下方でナスカン２の背面に当板３を一体に形成したため単価が高く不経済であり、どちらも傷つき防止効果のみを目的としたものである。
【０００８】
しかし、現在のランドセルは多様化しており、ランドセルを美しくかわいく見せてランドセルを使用する学童の興味を刺激する必要があり、そのためランドセルを多様な色に着色したり、大マチ部にハート形やダイヤ形の模様を施したものが好まれる傾向にある。そのため、ランドセルの吊下具の背面に取付ける傷付き防止用の装飾保護板５０にも、多様な装飾を施した装飾保護板５０を取付けた吊下具を提供することにより、ランドセルを使用する学童の興味を刺激することを目的とする。
【課題を解決するための手段】
【０００９】
本考案は、上部に設けた取付部４７の下部に任意形状をした大形の装飾部５２を一体に形成し、該装飾部の表面に各種形状をした大小の打抜孔５３を複数設け、該打抜孔内に位置した反射化粧材５１を具えた装飾保護板４５と、ランドセル１の大マチ部３の上部に取付ける固定片１２と、前記固定片１２に取付ける吊下部２１を上部に設けて下部にナスカン部２７を有した吊下片２０と、前記吊下片２０を前記固定片１２に回動可能に軸支する表面板３０とからなる吊下具１１を、前記大マチ部３の上部に、前締ベルト８と共に取付けることを特徴とする。また、前記装飾保護板４５は、皮革又は人工皮革からなる装飾部５２の上下幅を前記吊下片２０のナスカン部２７より長く、左右幅をナスカン部２７の幅寸法より広くし、且つ、全体をハート形、星形又は花形或いは動物の顔形などの任意形状に形成し、該装飾部の裏面に表面全体がキラキラ光るホログラム処理を施した反射化粧材５１と、該反射化粧材の裏面に皮革又は人工皮革からなる板状の芯部（５０）とを接着してなり、前記装飾部５２の表面任意箇所に、小円形、ひし形、三角形、ダイヤ形、星形、小ハート形または動物の目、口あるいは鼻などに形成した大小の打抜孔５３をそれぞれ任意間隔に複数組合わせて形成した該打抜孔内部にキラキラ反射する反射化粧材５１を設けてなることを特徴とする。さらには、前記固定片１２は、正面側に左右幅ｘを長く、上下幅ｙを短くした楕円形の係止軸部１４を突設し、該係止軸部の中央軸心方向にピン孔１５を設け、該ピン孔の正面側端面周縁で水平方向に凹溝部１６を形成し、背面側に前記大マチ部３に取付ける前締ベルト８を掛止させるベルト凹部１３を設け、前記吊下片２０は、前記固定片１２の係止軸部１４に枢動可能に嵌合する環合孔２２を有した吊下部２１を上方に設け、該吊下部の下方に巾着袋を着脱可能に吊下げるナスカン部２７を固着する保持部２６を一体に設け、前記表面板３０は、中央に設けたピン孔３１の背面側周縁に、前記固定片１２の係止軸部１４が嵌合する軸受凹部３２を設けると共に、該軸受凹部内でピン孔３１の周縁に前記係止軸部１４の端面に設けた凹溝部１６に嵌合する突起部３３を設け、上端縁に前記固定片１２の正面壁に当接する係止鍔部３４を一体に設け、前記固定片１２の係止軸部１４に吊下片２０の環合孔２２を嵌合して枢動可能に吊下げ、該吊下片の吊下部２１に表面板３０を表面側から被せて固定片１２に嵌合し、前記大マチ部３に位置する前締ベルト８と大マチ部３の間に前記装飾保護板４５の取付部４７を位置させ、前記表面板３０と固定片１２と前締ベルト８と装飾保護板４５を固定ピン３８で大マチ部３に取付けてなることを特徴とする。さらにはまた、前記吊下片２０の吊下部２１に設けた嵌合孔２２は、内径を前記固定片１２の係止軸部１４の左右幅ｘに嵌合する内径Ｘに形成し、該嵌合孔の垂直方向上端に切欠部２３を設け、且つ、前記切欠部２３の両端面の間を連結部２４で一体に架矯して前記嵌合孔２２が不用意に開くのを防止すると共に、前記ナスカン部２７に吊下げた巾着袋に所定以上の引張り負荷が加わると、前記連結部２４が引張り負荷で割れて切欠部２３の先端が開き、吊下片２０を前記固定片１２の係止軸部１４から離脱可能に取付けてなることを特徴とする。
【００１０】
したがって、吊下具１１をランドセル１の大マチ部３に取付け、ナスカン部２７の裏側に装飾保護板４５を位置させたことにより、学童がランドセルを背負って歩行したり走ったりした場合に、吊下片２０の揺動による摩擦によって大マチ部３の表面への傷付きを防止できる。さらに大マチ部に取付けた装飾保護板４５の装飾板５２に設けた各打抜孔５３内の反射化粧材５１は、学童がランドセルを背負って歩行したり走ったりした場合に、ランドセルが動いて該反射化粧材の角度が変わってキラキラ光って他の学童の注意を喚起させることができ、且つ、装飾保護板４５の形状をバリエーションに富んだ個性的な形状にすることにより、ランドセル１のバリエーションを豊富にすることができる。さらには、吊下片２０に吊下げた巾着袋等が所定以上の引張り負荷で引張られると、切欠部２３に設けた連結部２４が割れて吊下片２０が吊下具１１から離脱可能に取付けたことにより、巾着袋が引張られて学童が転倒する事故を未然に防止することができ安全である。
【図面の簡単な説明】
【００１１】
【図１】本考案にかかる吊下具を取付けたランドセルの側面図である。
【図２】吊下具の要部拡大側面図である。
【図３】吊下具の要部拡大正面図である。
【図４】吊下具の分解斜視図である。
【図５】吊下具の分解断面図である。
【図６】固定片の正面図である。
【図７】表面板の背面図である。
【図８】第１装飾保護板の正面図である。
【図９】図８のＡ―Ａ線拡大断面図である。
【図１０】第２装飾保護板の正面図である。
【図１１】第３装飾保護板の正面図である。
【図１２】固定片の係止軸部に吊下片を吊下げた状態を示す正面図である。
【図１３】吊下片が固定片から離脱する状態を示す正面図である。
【考案を実施するための形態】
【００１２】
本考案の実施の形態を図面に基づいて説明すると、図１は本考案にかかる吊下具を取付けたランドセルの側面図、図２は吊下具の要部拡大側面図、図３は吊下具の要部拡大正面図、図４は吊下具の分解斜視図、図５は吊下具の分解断面図、図６は定片の正面図、図７は表面板の背面図、図８は第１装飾保護板の正面図、図９は図８のＡ―Ａ線拡大断面図である。ランドセル１は、背板２の背面に教科書を収納する大マチ部３と、各種教材を収容するマチ部４と、小物を収容する前ポケット５と、ランドセル１の上面全体を覆う蓋板６と、ランドセルを背負う背負ベルト７とにより構成されている。
【００１３】
ランドセル１の大マチ部３には、図１に示すごとく、上方幅方向に帯状のいわゆる前締バンド８と吊下具１１が取付けられ、この前締ベルト８の所定箇所に大マチ部３に取付けるためのピン孔９を設けてある。
【００１４】
前記吊下具１１は、図２から５に示すごとく、前記前締ベルト８と共に大マチ部３に取付ける固定片１２と、該固定片に吊下げる吊下片２０と、該吊下片を前記固定片１２に挟持する表面板３０と、前記大マチ部３と固定片１２との間に取付ける装飾保護板４５とにより構成されている。
【００１５】
前記固定片１２は、図４、５、６に示すごとく、裏面に前記前締ベルト８を掛止させるベルト凹部１３を幅方向に形成し、表面中央にピン孔１５を有した左右幅ｘを長く、上下幅ｙを短くした楕円形の係止軸部１４を一体に突設し、該係止軸部の正面側端面で前記ピン孔１５の周縁左右方向に凹溝部１６を設けてある。
【００１６】
前記吊下片２０は、図２、４、５に示すごとく、上方に前記固定片１２の係止軸部１４に枢動可能に嵌合する嵌合孔２２を有した吊下部２１を設け、該吊下部の下方に細幅の保持部２６を一体に形成し、この保持部２６に巾着袋（図示せず）を着脱可能に取付けるナスカン部２７を固着してある。この保持部２６にナスカン部２７を固着したことによりナスカン部２７が前後方向に揺動するのを防止することができる。
【００１７】
この吊下片２０の吊下部２１に設けた嵌合孔２２の内径は、前記係止軸部１４の左右幅ｘが嵌合する内径Ｘに形成し、該嵌合孔の垂直方向上端で円周方向をＶ字型に切り開いた切欠部２３を設けてある。
【００１８】
この切欠部２３は、左右の対面する端面を細幅の連結部２４で一体に架矯し、ランドセルを背負って走ったときの振動や、巾着袋を軽く引っ張っただけの力で吊下片２０が固定片１２から不用意に開いて脱落するのを防止している。
【００１９】
通学路の行き帰りにランドセル１の吊下具１１に吊下げた巾着袋が、万一、立ち木の枝に引掛かかったり、または、狭い道ですれ違う車両のバックミラーなどに引掛かかったりして所定以上の引張り負荷が加わると、切欠部２３に設けた連結部２４がその引張力で割れて切欠部２３が左右に開いて吊下片２０が係止軸部１４から抜けることにより、ランドセルを背負った学童が転倒する事故を未然に防止することができる。
【００２０】
前記表面板３０は、図４、５、７に示すごとく、中央に設けたピン孔３１の裏面周縁に前記固定片１２の係止軸部１４の先端が嵌合する楕円形の軸受凹部３２を設け、且つ、該軸受凹部のピン孔３１の周縁左右方向に、前記係止軸部１４の先端面に設けた凹溝部１６に嵌合する突起部３３を形成し、上縁の背面方向に係止鍔部３４を一体に設け、表面側のピン孔３１周縁に固定ピン３８の鍔部４０が位置する嵌合凹部３５を設けてある。
【００２１】
前記装飾保護板の第１の実施形態を示す第１装飾保護板４５ａは、図８、９に示すごとく、皮革又は人工皮革からなる装飾部５２ａの上下幅を前記吊下片２０のナスカン部２７より長く、左右幅をナスカン部２７の幅寸法より広く形成して全体をハート形にし、該装飾部の裏面にキラキラ光るホログラム処理を施した反射化粧材５１を接着し、該反射化粧材の裏面に皮革又は人工皮革からなる芯部５０を接着し、前記装飾部５２ａの上方中央にピン孔４８を有した取付部４７を一体に形成してなり、前記装飾部５２ａをハート形に形成したことにより、女子用ランドセルの装飾保護板４５として使用することができる。
【００２２】
図１０は、第２の実施形態を示す第２装飾保護板４５ｂで、装飾部５２ｂ全体を星型に形成して男子用または女子用どちらのランドセルにも取付けて使用することができ、図１１に示す第３の実施形態を示す第３装飾保護板４５ｃは、装飾部５２ｃ全体を動物の顔（例えば熊の顔）に形成して男子用のランドセルに取付けて使用することができる。このように装飾保護板４５の装飾部５２を前記した形状の他、花形やアニメのキャラクターの形など多様なバリエーションに形成することにより、学童の注意を喚起する多様なランドセルを提供することができる。
【００２３】
前記装飾部５２は、表面全体または任意箇所に、大小の円形、ひし形、三角形、ダイヤ形、星形、ハート形または動物の目、口あるいは鼻などの形状をした複数の打抜孔５３を任意間隔に組み合わせて設け、該打抜孔の間から下面に敷いた反射化粧材５１をキラキラと反射させて装飾させ、且つ、装飾保護板４５の周縁には前記打抜孔５３を並べると共に各種糸目模様、例えば、ステッチ５４を設けて目立たせてある。
【００２４】
以下、本考案の実施の形態の作用について説明すると、吊下具１１をランドセル１の大マチ部３に取付ける場合、固定片１２の係止軸部１４に吊下片２０の嵌合孔２２を嵌合して吊下げ、該吊下片の吊下部２１に表面板３０を被せて前記吊下片２０を枢動可能に吊下げる。
【００２５】
前記表面板３０と固定片１２との嵌合は、係止軸部１４の先端を表面板３０の軸受凹部３２に嵌合すると同時に、係止軸部１４の先端面に設けた凹溝部１６と、表面板３０の軸受凹部３２に設けた突起部３３をそれぞれ嵌合させることより、表面板３０がズレたり回動するのを防止することができる。
【００２６】
また、表面板３０の上方に設けた係止鍔部３４を固定片１２の表面に当接させることにより、表面板３０のガタツキを防止することができ、且つ、前記係止軸部１４に吊下げた吊下片２０が回動すると表面板３０の係止鍔部３４に吊下片２０が当たり、３６０度方向に回転するのを防止することができる。
【００２７】
表面板３０を固定片１２に嵌合させた後、固定片１２のピン孔１５と前記前締ベルト８のピン孔９とを合致させて前締ベルト８をベルト凹部１３に掛止し、さらに前締ベルト８の裏面に装飾保護板４５の取付部４７を位置する。次いで、固定ピン３８の軸部３９を表面板３０のピン孔３１から、固定片１２のピン孔１５と前記前締ベルト８のピン孔９と装飾保護板４５のピン孔４８を挿通させて大マチ部３の孔１０から内側に貫通させた後、固定ピン３８の軸部３９にピン止リング４２を挿通して圧着固定することにより取付ける。
【００２８】
固定片１２の係止軸部１４に吊下げた吊下片２０は、嵌合孔２２の上端に設けた切欠部２３に連結部２４が架矯してあるため、巾着袋を吊下具１１に吊下げた学童がランドセル１を背負って走たり、ランドセル１を左右に振った程度の力では前記連結部２４が割れないので嵌合孔２２が開かず、図１２に示すごとく、固定片１２が脱落するのを防止することができる。
【００２９】
学校の登下校中にランドセル１の吊下具１１に吊下げた巾着袋を、万一狭い道ですれ違った車両のサイドミラーに引掛けたり、生垣の枝に引っ掛けたりした場合、所定以上の引張力が吊下片２０に加わると、大マチ部３の左右短尺方向（水平方向）に吊下片２０が引張られて嵌合孔２２の切欠部２３が、固定片１２の係止軸部１４の狭幅方向yに回動する。
【００３０】
回動した吊下片２０が所定以上の引張り負荷で引張れると、図１３に示すごとく、切欠部２３に設けた連結部２４がその衝撃で割れて開き、可撓性を有する嵌合孔２２が係止軸部１４の狭幅方向yに開いて吊下片２０が固定片１２から離脱する。したがって、引かかった巾着袋により学童が引張られて転倒する事故を未然に防止することができるので安全である。
【００３１】
大マチ部３と吊下片２０との間に装飾保護板４５を介在させたことにより、吊下片２０の揺動によるスレで大マチ部３の表面の傷付きを防止することができるのは勿論、さらに、学童がランドセルを背負って歩行したり走ったりした場合に、装飾保護板４５の打抜孔５３から反射化粧材の角度が変わってキラキラ光って他の学童の注意を喚起させることができ、さらにはまた、装飾保護板４５ａ、４５ｂ、４５ｃをハート形、星形などの多様な形状に形成して大マチ部３に取付けることにより、ランドセル１のバリエーションを豊富にすることができる。
【符号の説明】
【００３２】
１    ランドセル
２    背板
３    大マチ部
４    マチ部
５    前ポケット部
６    蓋板
７    背負いベルト
８    前締めベルト
９    孔
１１  吊下具
１２  固定片
１３  ベルト凹部
１４  係止軸部
１５  ピン孔
１６  凹溝部
２０  吊下片
２１  吊下部
２２  嵌合部
２３  切欠部
２４  連結部
２６  保持部
２７  ナスカン部
３０  表面板
３１  ピン孔
３２  軸受凹部
３３  突起部
３４  係止鍔部
３５  嵌合凹部
３８  固定ピン
３９  軸部
４０  鍔部  
４２  ピン止リング
４５  装飾保護板
４７  取付部
４８  ピン孔
５０  芯部
５１  反射化粧材
５２  装飾部
５３  打抜孔
【図１】
0003166249.tif 000003
【図２】
0003166249.tif 000004
【図３】
0003166249.tif 000005
【図４】
0003166249.tif 000006
【図５】
0003166249.tif 000007
【図６】
0003166249.tif 000008
【図７】
0003166249.tif 000009
【図８】
0003166249.tif 000010
【図９】
0003166249.tif 000011
【図１０】
0003166249.tif 000012
【図１１】
0003166249.tif 000013
【図１２】
0003166249.tif 000014
【図１３】
0003166249.tif 000015